(57)【要約】【課題】長時間の使用に対して破壊することがなく、水槽内に浮遊するごみを十分に収集すると共に、洗浄効果、除菌効果を備える洗濯機用ごみ取り具を提供する。【解決手段】洗濯機用ごみ取り具１は硬質の合成樹脂製の浮き部２と、浮き部２の下方に取り付けた合成樹脂製のごみ収集部３とから構成されいる。浮き部２の収納部２ａには、水をアルカリイオン水に改質する改質材が収納されており、複数個のスリット部２ｅが形成されている。蓋部２ｂ内には、浮力部が配置されており、ごみ収集部３はリング体３ａと、下方がすぼまった逆円錐状の網袋部３ｂとから成る。洗濯機用ごみ取り具１はアルカリイオン水による洗浄効果、除菌効果が得られると同時に、ごみ収集部３の網袋部３ｂ内には水槽Ｔ内のごみが、リング体３ａから内部に落ち込み、ごみは網袋部３ｂ内に収集される。【選択図】図１
2017127582.tif 000002
【特許請求の範囲】
【請求項１】
浮き部と、該浮き部の下方に脚部を介して取り付けたごみ収集部とから構成される洗濯機用ごみ取り具であって、
前記浮き部には、浮力部と、水をアルカリイオン水に改質する改質材とを収納し、
前記ごみ収集部は下方にごみを収集する網袋部を備えたことを特徴とする洗濯機用ごみ取り具。
【請求項２】
前記浮力部は前記浮き部内の上方側に配置し、前記改質材は前記浮き部内の下方側に配置したことを特徴とする請求項１に記載の洗濯機用ごみ取り具。
【請求項３】
前記浮き部には底面部の中心を起点として、上方に向けて複数個のスリット部が放射状に形成されていることを特徴とする請求項１又は請求項２に記載の洗濯機用ごみ取り具。
【請求項４】
前記ごみ収集部はリング体と、該リング体に取り付けられ、逆円錐状の網袋部とから成ることを特徴とする請求項１〜３の何れか１項に記載の洗濯機用ごみ取り具。
【請求項５】
前記改質材は焼成カルシウム粉であり、袋体内に前記焼成カルシウム粉を入れて前記浮き部内の前記底面部側に配置する、又は前記焼成カルシウム粉を粒体に加工して前記浮き部内の前記底面部側に配置することを特徴とする請求項１〜４の何れか１項に記載の洗濯機用ごみ取り具。
【請求項６】
前記改質材はマグネシウム粒であることを特徴とする請求項１〜４の何れか１項に記載の洗濯機用ごみ取り具。
【発明の詳細な説明】
【技術分野】
【０００１】
本発明は、洗濯機の水槽内に配置し、水槽内の水をアルカリイオン水に改質する改質材を付設した洗濯機用ごみ取り具に関するものである。
【背景技術】
【０００２】
特許文献１には洗濯機用ごみ取り具が開示されており、その第３図には、円形リング（ａ）に円錐状の網袋（ｂ）を取り付けると共に、円形リング（ａ）の中心方向に複数個のリブ（ｃ）を形成し、この集合するリブ（ｃ）の中央に保合部（ｄ）を形成して、空気袋（ｅ）を取り付けた洗濯機用ごみ取り具が開示されている。
【０００３】
更に、特許文献１の第１図には、気体を充填した中空リング（２）によって水中に浮かばせ、水流によって水中を回流しているうちに、浮遊するごみを網袋（４）内に収集する洗濯機用ごみ取り具が開示されている。
【先行技術文献】
【特許文献】
【０００４】
【特許文献１】実開昭６３−９８１８８号公報
【発明の概要】
【発明が解決しようとする課題】
【０００５】
しかし、特許文献１の第３図の洗濯機用ごみ取り具は、薄い樹脂等から成る空気袋（ｅ）が破損し易く、空気袋（ｅ）から空気が漏れると、ごみ取り具として機能しなくなるという問題がある。
【０００６】
また、特許文献１の第１図の洗濯機用ごみ取り具は、中空リングが水面に浮く構造のため、網袋（４）全体が水中内に沈み難く、水槽内に浮遊するごみが網袋（４）内に入り難いという問題がある。
【０００７】
更に、特許文献１の洗濯機用ごみ取り具を含む洗濯機の水槽に浮かばせて使用する洗濯機用ごみ取り具は、網袋にごみを収集するものであって、洗浄効果、除菌効果を備えるものではない。このため、洗浄効果、除菌効果を必要とする場合には、水槽内に別途に洗剤等を入れなければならない。
【０００８】
本発明の目的は、上述の課題を解消し、長時間の使用に対して破損することがなく、水槽内に浮遊するごみを十分に収集すると共に、洗浄効果、除菌効果を備える洗濯機用ごみ取り具を提供することにある。
【課題を解決するための手段】
【０００９】
上記目的を達成するための本発明に係る洗濯機用ごみ取り具は、浮き部と、該浮き部の下方に脚部を介して取り付けたごみ収集部とから構成される洗濯機用ごみ取り具であって、前記浮き部には、浮力部と、水をアルカリイオン水に改質する改質材とを収納し、前記ごみ収集部は下方にごみを収集する網袋部を備えたことを特徴とする。
【発明の効果】
【００１０】
本発明に係る洗濯機用ごみ取り具によれば、洗濯機の水槽内の水を、洗浄効果、除菌効果を有するアルカリイオン水に改質すると共に、洗濯機の水槽内のごみを効率良く収集することが可能である。
【図面の簡単な説明】
【００１１】
【図１】洗濯機用ごみ取り具の斜視図である。
【図２】断面図である。
【図３】洗濯機で使用する際の説明図である。
【発明を実施するための形態】
【００１２】
本発明を図示の実施例により詳細に説明する。
図１は洗濯機用ごみ取り具の斜視図であり、図２はその断面図である。洗濯機用ごみ取り具１は硬質の合成樹脂製の浮き部２と、浮き部２の下方に取り付けた合成樹脂製のごみ収集部３とから構成されている。
【００１３】
浮き部２は、収納部２ａと、この収納部２ａに対して上方から嵌合する蓋部２ｂとから成り、収納部２ａ内の下方側である収納部２ａには、水をアルカリイオン水に改質する改質材２ｃが収納されている。
【００１４】
収納部２ａ及び蓋部２ｂは共に椀形状であり、それぞれの開口部同士を重ね合わせた状態で、後述するビスにより固定されている。浮き部２は直径７ｃｍ、高さ５ｃｍ程度の上下面を偏平とした円柱状体である。
【００１５】
収納部２ａには底面部２ｄの中心を起点として、上方に向けて複数個のスリット部２ｅが放射状に形成されており、底面部２ｄの中心には、内側に向けて上方に底部を有する円筒部２ｆが形成されている。そして、この底部には小孔２ｇが設けられている。
【００１６】
蓋部２ｂの中央には円筒部２ｈが下向きに立設されており、この円筒部２ｈの先端が円筒部２ｆの底部に当接する内壁には、ねじ溝２ｉが設けられている。そして、蓋部２ｂ内には円筒部２ｈを取り囲むように、発泡スチロール等から成る浮力部２ｊが配置されている。また、収納部２ａ内の上方側である蓋部２ｂに配置した浮力部２ｊは、ビニール等から成る空気袋であってもよく、この場合は、浮力部２ｊは蓋部２ｂに覆われるため、破損することはない。
【００１７】
収納部２ａ及び蓋部２ｂを固定する際には、それぞれの開口部同士を重ね合わせた後に、円筒部２ｆ内の小孔２ｇにビス２ｋを挿入し、更にビス２ｋを円筒部２ｈ内のねじ溝２ｉにドライバ等でねじ込む。ビス２ｋを完全にねじ込むことで、収納部２ａ及び蓋部２ｂは一体化され、洗濯機の水槽Ｔ内での衝撃等により収納部２ａから蓋部２ｂが外れることはなくなる。
【００１８】
また、蓋部２ｂの両側方から下方に向けて２本の脚部２ｌが延在されており、脚部２ｌの先端にはごみ収集部３が取り付けられている。なお、脚部２ｌは収納部２ａから延在するようにしてもよいし、２本の脚部２ｌを備えたリング状の部材を収納部２ａ及び蓋部２ｂの間に挟むような構造にしてもよい。
【００１９】
ごみ収集部３は合成樹脂製のリング体３ａと、下方がすぼまった逆円錐状の網袋部３ｂとから成り、リング体３ａは２つの脚部２ｌに取り外し自在に係合により連結されている。
【００２０】
硬質の合成樹脂から成るリング体３ａには、網袋部３ｂの開口部が取り付けられ、リング体３ａは網袋部３ｂの開口とされている。網袋部３ｂは水槽Ｔ内でごみ取りをするためのものであり、ナイロン等の合成樹脂から成るメッシュ体とされている。
【００２１】
浮き部２内の底面部２ｄ側に配置される改質材２ｃは、焼成カルシウム粉Ｃａやマグネシウム粒Ｍｇが用いられる。焼成カルシウム粉Ｃａは例えばホタテ貝や卵の殻を１０００度以上の高温で焼成することによって得られる粉状体であり、不織布等から成る袋体内に入れて収納部２ａ内に配置することになる。或いは、焼成カルシウム粉Ｃａを粒体に加工して使用しても支障はない。
【００２２】
また、焼成カルシウム粉Ｃａに代えて、径が３〜５ｍｍ程度のマグネシウム粒Ｍｇを使用することもできる。これらの多数のマグネシウム粒Ｍｇを浮き部２内に収容しても、スリット部２ｅの幅はマグネシウム粒Ｍｇの径よりも小さいので、マグネシウム粒Ｍｇがスリット部２ｅから抜け出すことはない。
【００２３】
この洗濯機用ごみ取り具１を使用する際には、図３に示すように、水槽Ｔ内の任意の位置に浮き部２を上方に、ごみ収集部３を下方にした状態で配置する。浮き部２は蓋部２ｂ内の浮力部２ｊの浮力によって、収納部２ａ、ごみ収集部３を水中に浸漬した状態で、水槽Ｔの水面に浮くことになる。また、マグネシウムの比重は、他の金属の比重に比べて小さいため、浮力部２ｊが多少、小さくても収納部２ａ及びごみ収集部３が水槽Ｔの水面に浮くための十分な浮力を得ることができる。
【００２４】
洗濯物Ｃを水槽Ｔ内に入れ、洗濯の開始ボタンを押すと、水槽Ｔに注水が開始される。注水の完了後に洗濯機底のモータＭからベルトＢを介して、動力がパルセータＰに伝達され、パルセータＰが回転する。パルセータＰが回転し濯ぎ処理が開始されると、パルセータＰの渦流により浮力を有する洗濯機用ごみ取り具１は、水槽Ｔの水面付近で激しくかき回されることで、改質材２ｃと水Ｗとの反応が促進される。
【００２５】
水中に浸漬した収納部２ａのスリット部２ｅを介して、水槽Ｔ内の水Ｗが収納部２ａ内に入り込むため、改質材２ｃと水Ｗとが反応して、水槽Ｔ内の水Ｗはアルカリイオン水に改質される。このアルカリイオン水からは洗浄効果、除菌効果が得られる。
【００２６】
改質材２ｃとして焼成カルシウム粉Ｃａを用いた場合には、焼成カルシウム粉Ｃａが水Ｗに浸漬することにより、次式のように酸化カルシウムが水Ｗと反応し水酸化カルシウムに変化する。
ＣａＯ＋Ｈ2０  →  Ｃａ（ＯＨ）2
【００２７】
更に、水溶した水酸化カルシウムは、次式のような電離してトイレタンク内の水Ｗをアルカリイオン水に改質する。
Ｃａ（ＯＨ）2  →  Ｃａ2+  ＋  ２ＯＨ-
【００２８】
同様に、改質材２ｃとしてマグネシウム粒Ｍｇを用いた場合には、マグネシウム粒Ｍｇが水Ｗに浸漬することにより、次式のような反応が起こる。
Ｍｇ＋２ｉ2Ｏ→Ｍｇ（ＯＨ）2＋Ｈ2↑
【００２９】
マグネシウムと水Ｗとが反応し、水酸化マグネシウムと水素が生成され、水槽Ｔ内の水Ｗがアルカリイオン水に改質されることになる。
【００３０】
これらの改質したアルカリイオン水は、油脂分を分解して石鹸化することが知られているので、この作用により水槽Ｔ内の洗剤を助長して、界面活性効果により洗濯物の汚れを落とすことが可能となる。
【００３１】
また、アルカリイオン水は水Ｗの分子であるクラスタを細分化させるため、浸透性が高くなり、洗濯物と洗濯物に付着した汚れとの間隙に浸透し易く、汚れを膨潤させて浮き上がらせる効果も有している。
【００３２】
収納部２ａ内に収納する改質材２ｃの溶解速度は、極めて遅いため完全に溶解するまでに数ヶ月以上を要する。従って、上述のアルカリイオン水による洗浄効果、除菌効果を長期に渡って発揮することになるので、ごみ収集部３内のごみは洗濯の度に取り捨てる必要があるとしても、焼成カルシウム粉Ｃａを充填した袋体の交換や、焼成カルシウム粉Ｃａやマグネシウム粒Ｍｇの補充は殆ど不要である。
【００３３】
また、洗濯機用ごみ取り具１は上述の通りアルカリイオン水による洗浄効果、除菌効果が得られると同時に、ごみ収集部３の網袋部３ｂ内には水槽Ｔ内を浮遊するごみが、水中に浸漬したリング体３ａから網袋部３ｂ内に落ち込み、ごみを効率良く収集することが可能である。洗濯が終わりごみを取り出すには、リング体３ａを脚部２ｌから取り外して、網袋部３ｂ内のごみを取り出せばよい。
【符号の説明】
【００３４】
１  洗濯機用ごみ取り具
２  浮き部
２ａ  収納部
２ｂ  蓋部
２ｃ  改質材
２ｄ  底面部
２ｊ  浮力部
２ｌ  脚部
３  ごみ収集部
３ａ  リング体
３ｂ  網袋部
【図１】
2017127582.tif 000003
【図２】
2017127582.tif 000004
【図３】
2017127582.tif 000005